(57)【特許請求の範囲】
【請求項１】
ＬＥＤ照明機器であって、
ランプハウジングと、ＬＥＤモジュールと、電気器具と、ランプ接続部品と、を有し、
前記ランプハウジングが前記ランプ接続部品によりランプポールに接続され、
前記ランプハウジングがボトムハウジング及び上蓋を有し、
前記上蓋と前記ボトムハウジングが、前記ＬＥＤモジュールと前記電気器具を収納する空洞を形成し、前記上蓋と前記ボトムハウジングの片側は回動するように接続され、
前記ランプ接続部品が、湾曲アーム式ランプ接続部品であり、
前記湾曲アーム式ランプ接続部品は湾曲アーム本体及び湾曲アームカバープレートを有し、
前記湾曲アーム本体はその方向に沿って一つの開口を有し、
前記湾曲アームカバープレートは前記湾曲アーム式ランプ接続部品の方向に沿って、前記湾曲アーム本体の前記開口を取り外し可能にカバーすることができ、
前記湾曲アーム本体と前記湾曲アームカバープレートの間に配線のための空洞が形成される、
ことを特徴とするＬＥＤ照明機器。
【請求項２】
前記湾曲アーム本体と前記湾曲アームカバープレートは、弧形であり、
前記湾曲アーム本体は、上端が前記ボトムハウジングの外側に接続され、下端が前記ボトムハウジングの下方に位置する、ことを特徴とする請求項１に記載のＬＥＤ照明機器。
【請求項３】
前記上蓋の片側はヒンジにより前記ボトムハウジングの片側に接続され、
前記ボトムハウジングの前記ヒンジを取り付ける位置に、前記上蓋と前記ボトムハウジングとの接続点を指定した角度で反転することを実現する反転溝が設置される、
ことを特徴とする請求項１又は請求項２に記載のＬＥＤ照明機器。
【請求項４】
前記ボトムハウジングと前記上蓋の片側はヒンジモジュールにより回動するように接続され、
前記ヒンジモジュールは回動するように接続される一つのヒンジと一つのフリップヒンジを有し、
前記ヒンジは、第一接続片と第一接続端部を有し、前記ヒンジは前記第一接続片により前記ボトムハウジングに固定的に接続され、
前記フリップヒンジは第二接続片と第二接続端部を有し、前記フリップヒンジは前記第二接続片により上蓋の内側に固定的に接続され、
前記第一接続端部と前記第二接続端部とは回動するように接続される、
ことを特徴とする請求項１乃至３のいずれか一項に記載のＬＥＤ照明機器。
【請求項５】
前記ボトムハウジングと前記上蓋の反対側は一つのロータリーノブボタンにより接続される、
ことを特徴とする請求項１乃至４のいずれか一項に記載のＬＥＤ照明機器。
【請求項６】
前記ロータリーノブボタンは第一板片、第二板片及びロータリノブを有し、
前記第一板片は前記上蓋の内側に固定的に設置され、また前記第一板片に一つのバヨネットが設置され、
前記ロータリノブの一端は前記ボトムハウジングの外側から前記ボトムハウジング内に入り込み、前記第二板片は前記ロータリノブの端部に固定的に取り付けられ、前記ロータリノブの回転により、第二板片を連動して回転させ、前記バヨネットの中に留めさせ、
前記ボトムハウジングの内側と前記第二板片の対応する位置に、位置限定構造と半位置限定構造が設置され、
前記第二板片にはフリー状態及び締付状態があり、
前記位置限定構造と前記半位置限定構造の間のスペースはフリー状態の前記第二板片の回転プロセスを限定し、
前記ロータリノブにより前記第二板片に力を与えて前記半位置限定構造を超えて回転させた後に、前記第二板片が前記バヨネットの中に留められ、第二板片が締付状態になり、この時に、前記第二板片の回転角度は前記バヨネットと前記半位置限定構造の間に限定され、これにより、前記第一板片と第二板片の間のロックが実現される、
ことを特徴とする請求項５に記載のＬＥＤ照明機器。
【請求項７】
前記半位置限定構造は前記第二板片の滑り接続面との間に一定の傾きを有する、
ことを特徴とする請求項６に記載のＬＥＤ照明機器。
【請求項８】
前記ランプ接続部品は配線のための空洞を有し、
、
前記ボトムハウジングは、前記ランプ接続部品と接続される位置に配線穴が設置される、
ことを特徴とする請求項１乃至請求項７のいずれか一項に記載のＬＥＤ照明機器。
【請求項９】
前記ランプハウジングは円形或いは楕円であり、
前記電気器具は電源を有する、
ことを特徴とする請求項１乃至請求項８のいずれか一項に記載のＬＥＤ照明機器。
【発明の詳細な説明】
【技術分野】
【０００１】
本発明はＬＥＤ照明機器に関するものであり、特に構造がシンプルであって、設計が合理的なＬＥＤ照明機器に関するものである。
【背景技術】
【０００２】
国際社会において炭素排出が規制され、また省エネや排出削減が提唱されるようになり、人々が代替光源を模索する中で、ＬＥＤ光源が代替の候補となりつつある。ＬＥＤ光源は、指向性の高い発光、発光効率の益々の向上、益々の廉価化、省エネ、環境保護、振動防止等、従来の光源とは異なる優位性を備え、技術の発展に伴い、これらの特長は唯一無二の優位性を体現し、ＬＥＤライトを使用することのの将来性は極めて明るい。
【０００３】
ＬＥＤ照明機器のコア部品は光源であり、市場における既存のＬＥＤ照明機器の光源はほとんど一体的に作成されるため、異なるＬＥＤ照明機器には異なる内部光源を設計する必要がある。各企業は続々とＬＥＤ照明市場に参入した状況において、このような設計の方法は極めて大きな浪費をもたらしてしまう。これに対し、ＬＥＤ光源のモジュール化はより大きな利点を有している。
【０００４】
さらに、従来技術のＬＥＤ照明機器は、また以下の欠点を有する。
第一に、構造が複雑である。
第二に、現在の構造の設計では、上蓋とボトムハウジングの間の工具不要な分解と組立てを便利に効果的に実現することができない。
第三に、ＬＥＤ照明機器がランプポールと接続される際に、ＬＥＤ照明機器とランプポールの間の配線が目に見えず、これにより、ＬＥＤ照明機器とランプポールの間の配線を取り付けるプロセスが不便になってしまう。
第四に、ＬＥＤソケットが大体が矩形であり、上蓋とボトムハウジングとを組立てる際には、正しく嵌め合う必要があり、これにより、組立技術者に対する要求が高く、便利に素早くできるものではない。
【発明の概要】
【発明が解決しようとする課題】
【０００５】
本発明では構造がシンプルで、設計が合理的なＬＥＤ照明機器を提供する。
本発明の技術案は以下である：
ＬＥＤ照明機器であり、以下を含む：
ランプハウジング、
ＬＥＤモジュール、
電気器具、
ランプ接続部品；
そのうち、前記ランプハウジングが前記ランプ接続部品によりランプポールに接続され、
前記ランプハウジングがボトムハウジング及び上蓋を有し、
前記上蓋と前記ボトムハウジングが、前記ＬＥＤモジュールと前記電気器具を収納する空洞を形成し、前記上蓋と前記ボトムハウジングの片側は回動するように接続される。
前記ランプ接続部品が、ストレートアーム式ランプ接続部品或いは湾曲アーム式ランプ接続部品である。
【０００６】
本発明の好ましい実施形態において、前記湾曲アーム式ランプ接続部品は湾曲アーム本体及び湾曲アームカバープレートを有し、また前記湾曲アーム本体はその方向に沿って一つの開口を有し、前記湾曲アームカバープレートは前記湾曲アーム式ランプ接続部品の方向に沿って、前記湾曲アーム本体の前記開口を取り外し可能にカバーすることができ、前記湾曲アーム本体と前記湾曲アームカバープレートの間に配線のための空洞が形成される。
【０００７】
本発明の好ましい実施例では、前記ストレートアーム式ランプ接続部品は角度が調整可能な接続部品に接続され、前記ストレートアーム式ランプ接続部品は前記角度が調整可能な接続部品と、連結角が調整可能な方式により接続され、角度が調整可能な接続部品は前記ランプポールに接続される。
【０００８】
本発明の好ましい実施例では、前記角度が調整可能な接続部品は歯車押圧プレート及び、前記ランプポールに接続される接続部品を有し、前記歯車押圧プレートに歯車溝が設置され、前記ストレートアーム式ランプ接続部品は前記接続部品と回動するように接続される。前記接続部品に歯車が固定的に設置され、前記歯車押圧プレートの歯車溝は前記歯車の歯と噛合うとともに、前記歯車押圧プレートは前記ストレートアーム式ランプ接続部品に接続される。
【０００９】
本発明の好ましい実施例では、前記接続部品の、前記ストレートアーム式ランプ接続部品と接続される一端に対称的な係合ラグが設置され、前記ストレートアーム式ランプ接続部品は回転軸により前記係合ラグと接続され、前記歯車は前記係合ラグの内側又は外側に設置される。
【００１０】
本発明の好ましい実施例では、前記歯車押圧プレートはネジによりストレートアーム式ランプ接続部品に接続される。
【００１１】
本発明の好ましい実施例では、前記ボトムハウジングと前記上蓋の片側はヒンジモジュールにより回動するように接続され、そのうち、
前記ヒンジモジュールは回動するように接続される一つのヒンジと一つのフリップヒンジを有し、
前記ヒンジは、第一接続片と第一接続端部を有し、前記ヒンジは前記第一接続片により前記ボトムハウジングに固定的に接続され、
前記フリップヒンジは第二接続片と第二接続端部を有し、前記フリップヒンジは前記第二接続片により上蓋の内側に固定的に接続され、
さらに、前記第一接続端部と前記第二接続端部とは回動するように接続される。
【００１２】
本発明の好ましい実施例では、前記上蓋の片側はヒンジにより前記ボトムハウジングの片側に接続される。
【００１３】
本発明の好ましい実施例では、前記ボトムハウジングの前記ヒンジを取り付ける位置に、前記上蓋と前記ボトムハウジングとの接続点を指定した角度で反転することを実現する反転溝が設置される。
【００１４】
本発明の好ましい実施例では、前記ボトムハウジングと前記上蓋の反対側は一つのロータリーノブボタンにより接続される。
【００１５】
本発明の好ましい実施例では、前記ロータリーノブボタンは第一板片、第二板片及びロータリノブを有し、そのうち、
前記第一板片は前記上蓋の内側に固定的に設置され、また前記第一板片に一つのバヨネットが設置され、
前記ロータリノブの一端は前記ボトムハウジングの外側から前記ボトムハウジング内に入り込み、また前記第二板片は前記ロータリノブの前記端部に固定的に取り付けられ、前記ロータリノブの回転により、第二板片を連動して回転させ、前記バヨネットの中に留めさせ、
前記ボトムハウジングの内側と前記第二板片の対応する位置に、位置限定構造と半位置限定構造が設置され、また、前記第二板片にはフリー状態及び締付状態がある。前記位置限定構造と前記半位置限定構造の間のスペースはフリー状態の前記第二板片の回転プロセスを限定する。前記ロータリノブにより前記第二板片に力を与えて前記半位置限定構造を超えて回転させた後に、前記第二板片が前記バヨネットの中に留められ、第二板片が締付状態になり、この時に、前記第二板片の回転角度は前記バヨネットと前記半位置限定構造の間に限定され、これにより、前記第一板片と第二板片の間のロックが実現される。
【００１６】
本発明の好ましい実施例では、前記半位置限定構造は前記第二板片の滑り接続面との間に一定の傾きを有する。
【００１７】
本発明の好ましい実施例では、前記ランプ接続部品は配線のための空洞を有し、前記ランプ接続部品は前記ボトムハウジングに接続され、前記ボトムハウジングは、前記ランプ接続部品と接続される位置に配線穴が設置される。
【００１８】
本発明の好ましい実施例では、前記ストレートアーム式ランプ接続部品は、一つの円柱及び前記円柱の一端に設置される接続部を有し、前記ストレートアーム式ランプ接続部品は前記接続部により前記ボトムハウジングに接続され、前記円柱は配線のための空洞を有する。
【００１９】
本発明の好ましい実施例では、保護管がさらに含まれ、前記保護管の一端に外螺子管が設置され、前記湾曲アーム式ランプ接続部品又は角度が調整可能な接続部品の内部にネジスルーホールが設置され、また前記外螺子管は前記ネジスルーホールに適合する。
【００２０】
本発明の好ましい実施例では、前記ランプハウジングは円形或いは楕円であり、また前記電気器具は電源を有する。
【００２１】
本発明では、前記角度が調整可能な接続部品も提供される。
【００２２】
本発明では、前記角度が調整可能な接続部品を設置するＬＥＤ照明機器も提供される。
【００２３】
モジュール化した円形ＬＥＤ照明機器であって、ランプハウジング、電源及びモジュールを有する照明機器であり、前記ランプハウジングは円形であり、前記ランプハウジングは、湾曲アーム式ランプ接続部品によりランプポールに接続され、また、前記ランプハウジングはボトムハウジングと上蓋を有し、前記上蓋は前記ボトムハウジングの片側に回動するように接続され、その反対側がロータリーノブボタンにより接続され、前記上蓋は前記ボトムハウジングと接続して前記電源と前記モジュールを収納するスペースを形成する。
【００２４】
ストレートアーム式ＬＥＤ照明機器であって、ランプハウジング、ＬＥＤモジュール、電気器具及びランプ接続部品を含む照明機器であり、前記ランプ接続部品はストレートアーム式ランプ接続部品であり、前記ランプハウジングはボトムハウジングと上蓋を有し、前記ボトムハウジングと前記上蓋はＬＥＤモジュール及び前記電気器具を収納する空洞を形成し、また、前記ボトムハウジングは前記上蓋の片側と回転可能に接続され、前記ストレートアーム式ランプ接続部品は前記ボトムハウジングに接続される。
【００２５】
従来技術と比べて本発明の有益な効果は以下である。
第一に、本発明のＬＥＤ照明機器は構造がシンプルであり、設計が合理的である。
第二に、本発明のＬＥＤ照明機器の好ましい実施形態には、ランプハウジングは湾曲アーム式ランプ接続部品によりランプポールに接続され、また当該湾曲アーム式ランプ接続部品は湾曲アーム本体と湾曲アームカバープレートとを接続して共同で構成される。湾曲アームカバープレートは取り外し可能であり、これにより、ＬＥＤ照明機器を取り付けるプロセスにおける配線の可視が実現され、取り付けが容易になる。
第三に、本発明のＬＥＤ照明機器は、ストレートアーム式ランプ接続部品を設置することにより、ランプ製品全体の包装体積が明らかに小さくなり、包装と運送に有利であり、これにより、包装と運送のコストが大幅に減少する。
第四に、本発明のＬＥＤ照明機器には、ストレートアーム式ランプ接続部品のために、角度が調整可能な接続部品が設置され、これにより、ランプの取付角度を調整する機能を実現することができる。
第五に、本発明の角度が調整可能な接続部品は、大部分の重量を、歯車押圧プレートとストレートアーム式ランプ接続部品を接続するネジに分散させるとともに、ストレートアーム式ランプ接続部品と係合ラグとを接続する回転軸も半径方向の力を支える。これにより、ストレートアーム式ランプ接続部品と角度が調整可能な接続部品との接続がより安定的であり、また連結強度が高められる。
第六に、本発明の角度が調整可能な接続部品は、歯車押圧プレートと歯車とを噛合わせることにより、調整可能な角度の範囲が広く、且つ両者が外れにくく、又は落下しにくくなる。
第七に、本発明のＬＥＤ照明機器の好ましい実施形態には、ボトムハウジングの片側は上蓋にヒンジにより接続され、反対側にはロータリーノブボタンにより工具不要な分解と組立てを実現するとともに、前記ロータリーノブボタンに対応して設置した位置限定構造と半位置限定構造により、ロータリーノブボタンの第二板片の回転プロセスを限定し、これにより、上蓋とボトムハウジングとが未だ接続されていない時における第二板片の自由回転が防止されると共に、上蓋とボトムハウジングとを接続した後のロックが実現されることができる。
【００２６】
勿論、本発明のいずれかの製品を実行する際には、上記の全てのメリットを同時に備える必要がない。
【図面の簡単な説明】
【００２７】
図１は、本発明実施例１の全体構造の概略図である。
図２は、本発明実施例１の全体の分解図である。
図３は、本発明実施例１の湾曲アーム本体の構造を示す図である。
図４は、本発明実施例１のボトムハウジングの構造を示す図一である。
図５は、図４のＢの局部を示す概略図である。
図６は、本発明実施例１におけるヒンジとボトムハウジングとの接続構造を示す図である。
図７は、本発明実施例１の第一板片の構造を示す図である。
図８は、本発明実施例１のボトムハウジングの構造を示す図二である。
図９は、図８のＡの局部を示す概略図である。
図１０は、本発明実施例１の第一板片と第二板片とを接続する前の構造を示す図である。
図１１は、本発明実施例１の第一板片と第二板片とを接続した後の構造を示す図である。
図１２は本発明実施例２におけるストレートアーム式ＬＥＤ照明機器の、ストレートアーム式ランプ接続部品の立体構造を示す図である。
図１３は本発明実施例２におけるストレートアーム式ＬＥＤ照明機器の上蓋とボトムハウジングとを閉鎖する立体構造を示す図である。
図１４は図１３のＣ部分の拡大図である。
図１５は本発明実施例２におけるストレートアーム式ＬＥＤ照明機器の上蓋の開状態の立体構造を示す図である。
図１６は本発明実施例２におけるストレートアーム式ＬＥＤ照明機器のランプハウジングとストレートアーム式ランプ接続部品の分解構造を示す図である。
図１７は本発明実施例１と実施例２におけるストレートアーム式ＬＥＤ照明機器のヒンジモジュールの立体構造を示す図である。
図１８は本発明実施例３におけるストレートアーム式ＬＥＤ照明機器の立体構造を示す図一であり、ここで、上蓋とボトムハウジングは閉鎖状態である。
図１９は本発明実施例３におけるストレートアーム式ＬＥＤ照明機器の立体構造を示す図二であり、ここで、上蓋は開状態である。
図２０は本発明実施例３における角度が調整可能な接続部品の構造を示す図である。
図２１は、本発明実施例３における角度が調整可能な接続部品の分解図である。
図２２は、本発明実施例３における角度が調整可能な接続部品の歯車押圧プレートの構造を示す図である。
図２３は本発明実施例３における角度が調整可能な接続部品がランプポールと接続される構造を示す図である。
【発明を実施するための形態】
【００２８】
以下では、具体的な実施例を参照し、本発明について更に詳細に説明する。本発明の実施例の附属図面を参照しながら、以下、更に詳細に本発明について説明する。但し、本発明は多くの形態で実施できるものであり、ここに提示した実施例のみに限定されると解釈すべきではない。また提示したこれらの実施例は、充分かつ完全な公開を実現し、本技術分野の技術者から本発明の技術案につき完全な理解を得るためのものである。なお、これらの図面は、理解し易くするために、層や領域のサイズと相対サイズが拡大されている場合がある。
【００２９】
実施例１
図１〜図１１に示されるように、本実施例ではモジュール化した円形ＬＥＤ照明機器を提供する。このＬＥＤ照明機器はランプハウジング、モジュール９及び電源１０を有するものである。ランプハウジングは湾曲アーム式ランプ接続部品３（以下、湾曲アーム３）によりランプポールに接続され、ここで、ランプハウジングはボトムハウジング２と上蓋１を有し、上蓋１はボトムハウジング２の片側に回動するように接続され、反対側はロータリーノブボタンにより接続され、上蓋１とボトムハウジング２を閉めることで、電源１０とモジュール９を収納する空洞が形成される。
【００３０】
本実施例では、好ましくは、例えば、ランプハウジングが純アルミニウム材料により作成することで、ランプハウジング全体が優れた放熱能力を備えることが保証される。
【００３１】
本実施例では、上蓋１とボトムハウジング２の両方は全体的に円形であり、これにより、長方形の照明機器と比べ、本実施例のランプを取り付ける時のマッチングがより容易である。
【００３２】
勿論、ランプハウジングの形状及び製造材料は特定の状況に従って設定され、選択されることができ、また前述の例示的な説明は限定をするものではない。
【００３３】
本実施例では、上蓋１とボトムハウジング２とを接続して形成した収納スペース内にモジュール９、電源１０、雷防止装置５、配線押圧プレート６、防水配線７及びプレスラインプレート８などの電気器具が設置される。
【００３４】
ここで、ボトムハウジング２には、いくつかの第二補強リブ２０２が設置され、これらの第二補強リブ２０２は中心から周辺に広がるように分布し、かつ、湾曲アーム３の片側に近い第二補強リブ２０２はボトムハウジング２の底部からボトムハウジング２の側壁まで伸ばされる、即ち、湾曲アーム３の片側に近い第二補強リブ２０２は他の部分の第二補強リブよりも高く、図４に示されるように、このような設置は、ランプハウジングがより多くの重力を支えられることを目的とする。
【００３５】
本実施例では、ボトムハウジング２の内側のモジュール９を取り付ける位置に突起ビーム２０３が設置され、モジュール９は手動ネジ１１により突起ビーム２０３に取り付けられ、これにより、放熱の補助的な役割を果たすことができる。
【００３６】
本実施例では、ボトムハウジング２の片側は湾曲アーム３によりランプポールに接続される。ここで、ボトムハウジング２及び湾曲アーム３は独立した２つのパーツであり、両者がネジなどの手段によって接続される。勿論ボトムハウジング２と湾曲アーム３は一体とすることができる。本発明ではそれを二つの部分に分けることで、金型の小型化によるコストの低減が実現される。本実施例において、ボトムハウジング２には、湾曲アーム３との接続部に配線穴が設置される。
【００３７】
湾曲アーム３は湾曲アーム本体３０１と湾曲アームカバープレート３０２の二つの部分により構成され、湾曲アーム本体３０１は全体的に弧形であり、その下端がランプポールに接続され、また湾曲アーム本体３０１のランプポールに対応する位置にスルーホール３０１３が設置され、これにより、ランプポールの電線を湾曲アーム本体３０１内に入れ込むのに便利である。湾曲アーム本体３０１の上端はボトムハウジング２の外側に接続され、且つ湾曲アーム本体３０１にスルーホール３０１２が設置され、これにより、ランプポールからの電線が湾曲アームを通過してランプハウジング内に入り込み、ランプハウジング内のデバイスのために電気を供給する。図３に示されるように、湾曲アーム本体３０１の内壁にはいくつかの第一補強リブ３０１１が設置され、且つ第一補強リブ３０１１の分布密度がボトムハウジング２に近づく方向に沿い徐々に増大し、これにより、湾曲アーム３はより多くの重力を支えることができる。さらに、本実施例のＬＥＤ照明機器は保護管を有することもでき、保護管の一端に外螺子管が設置され、湾曲アーム３の内部空洞の中に対応するネジスルーホールが設置され、前記外螺子管は前記ネジスルーホールと適合する。保護管は電線を保護するために使用され得る。
【００３８】
湾曲アーム本体３０１の弧状の外側には、湾曲アームの方向に沿って一つの開口が設置され、湾曲アームカバープレート３０２は当該開口をカバーするものであり、ネジなどの手段により取り外し可能に湾曲アーム本体３０１に取り付けられ、湾曲アーム本体３０１と湾曲アームカバープレート３０２とを取り付けた後に、配線のための空洞が形成される。
【００３９】
本実施例では、湾曲アーム３は湾曲アーム本体３０１と湾曲アームカバープレート３０２の二つの部分に分けられ、これにより、照明機器を取り付けるプロセスにおいて見ながら配線をすることができ、取り付けが容易である。
【００４０】
本実施例では、上蓋１とボトムハウジング２の片側はヒンジ４により接続される。ここで、図２〜図６に示されるように、ヒンジ４の一端はボトムハウジング２の外側の縁部に接続され、またボトムハウジング２の縁部上端にはヒンジ４に対応する位置に反転溝２０４が設置され、ヒンジ４の他端は上蓋１の内側に接続され、これにより、上蓋１とボトムハウジング２との接続が実現される。本実施例はボトムハウジング２に反転溝２０４を設置することにより、上蓋１とボトムハウジング２との接続点を２７０度などの指定した角度で反転させることが実現される。
【００４１】
代替として、ヒンジ４はヒンジモジュールに代えられることができる。図１７に示されるように、図１７は使用可能なヒンジモジュールの構造を示す図である。ヒンジモジュール５は回動するように接続されるヒンジ５１とスリップヒンジ５２を有し、そのうち、ヒンジ５１は、第一接続片５１１と第一接続端部５１２を有し、当該ヒンジ５１は第一接続片５１１によりボトムハウジング２に固定的に接続される。スリップヒンジ５２は第二接続片５２１と第二接続端部５２２を有し、スリップヒンジ５２は第二接続片５２１により上蓋１の内側に固定的に接続され、また、ヒンジ５１の第一接続端部５１２とスリップヒンジ５２の第二接続端部５２２は回転接続端部５３により回動するように接続される。ここで、ヒンジ５１とスリップヒンジ５２の二つのモジュールを含むヒンジモジュールは前述したヒンジに変わるものであり、これにより、上蓋とボトムハウジングとを組立てた後における上蓋の反転が更に容易である。
【００４２】
図２、図７〜図１１に示されるように、上蓋１とボトムハウジング２の反対側にはロータリーノブボタンにより工具不要な分解と組立てが行われる。ここで、好ましくは、ヒンジ４又はヒンジモジュール５の接続点及びロータリーノブボタンの接続点は、ランプハウジングの対称軸の二つの対向端に設置される。
【００４３】
具体的には、ロータリーノブボタンは、上蓋１に設置される第一板片１２、ボトムハウジング２に設置される第二板片１３及びロータリノブ１４を含む。図７に示されるように、第一板片１２はネジなどの手段により上蓋１の内側に固定され、また第一板片１２に弧状のバヨネット１２１が設置される。図９に示されるように、ボトムハウジング２の内側には第一板片１２に対応する位置に突起平面２０１が設置され、これにより、第二板片１３の取り付けが容易となる。図２及び図９、図１０、図１１に示されるように、ロータリノブ１４の一端はボトムハウジング２の外側からボトムハウジング２の中に入り込み、且つ穿孔位置が突起平面２０１に位置する。第二板片１３は曲折した形であり、その片側の曲折部はロータリノブ１４のボトムハウジング２内に入り込んだ一端に固定的に取り付けられ、またロータリノブ１４を回転させることにより、第二板片１３を連動して回転させる。本実施例ではロータリーノブボタンにより上蓋１とボトムハウジング２とを接続し、これにより、工具不要な分解と組立てを行うことができ、またメンテナンスが容易であり、メンテナンスのコストが大幅に減少する。
【００４４】
本実施例では、図９に示されるように、突起平面２０１に半位置限定構造２０１１と位置限定構造２０１２が設けられる。半位置限定構造２０１１と位置限定構造２０１２はロータリノブ１４の中心にして連なって大円周角と小円周角を形成し、第二板片１３の回転プロセスを限定するために用いられる。ここで、第二板片１３は回転プロセスの間に位置限定構造２０１２を超えて回転することができない。しかし、第二板片１３に力を与えた場合には、第二板片１３は半位置限定構造２０１１を超えて回転することができる。好ましくは、半位置限定構造２０１１が第二板片１３の滑り接続面との間に一定の傾きを有することで、第二板片１３はスムーズに抵抗を克服し、半位置限定構造２０１１を超えて回転することができる。第一板片１２と第二板片１３との具体的な接続の原理は以下である。
【００４５】
図１０に示されるように、上蓋１とボトムハウジング２とが未だ接続されていない時には、第二板片１３は半位置限定構造２０１１と位置限定構造２０１２の間であってロータリノブ１４の中心にして形成された小円周角の範囲内にあり、また、この時にロータリノブ１４に完全に力が与えられず、第二板片１３がフリー状態にある間には、第二板片の回転プロセスが半位置限定構造２０１１と位置限定構造２０１２の間のスペースに限定される。即ち、第二板片１３をより小さな範囲内に回転させることが限定され、これにより、上蓋１とボトムハウジング２とが未だ接続されていない時に、第二板片１３の自由回転による不便を防止することができる。
【００４６】
図１１に示されるように、上蓋１とボトムハウジング２とを接続した時には、上蓋１がボトムハウジング２の上をカバーし、第一板片１２はちょうど第二板片１３の上に位置する。ロータリノブ１４にある程度の力を与えて、第二板片１３を連動して回転させ、第二板片１３に半位置限定構造２０１１を超えて回転させ、バヨネット１２１の中に留めさせ、第二板片１３を締付状態にさせ、続いてロータリノブ１４を外す。この時に、第二板片１３はバヨネット１２１と半位置限定構造２０１１の間に位置し、半位置限定構造２０１１の作用により、第一板片１２と第二板片１３の間のロックが実現され、これにより、上蓋１とボトムハウジング２との間の緩みを防止することができる。
【００４７】
以上により、本実施例ではモジュール化した円形ＬＥＤ照明機器を提供し、このＬＥＤ照明機器はランプハウジング、電源及びモジュールを有するものである。ランプハウジングは円形であり、一つの湾曲アームによりランプポールに接続され、湾曲アームは湾曲アーム本体と湾曲アームカバープレートとを取り外し可能に接続して形成される。ランプハウジングはボトムハウジングと上蓋を有し、上蓋とボトムハウジングの片側はヒンジ又はヒンジモジュールにより接続され、また、ボトムハウジングのヒンジが設置される位置に反転溝が設置され、これにより、上蓋を２７０度などの指定した角度で反転させることが実現される。上蓋はロータリーノブボタンによりボトムハウジングの反対側と接続され、ロータリーノブボタンは上蓋に設置された第一板片、ボトムハウジングに設置された第二板片及びロータリノブを有し、また、ボトムハウジングの第二板片が設置される位置に半位置限定構造と位置限定構造が設置される。本実施例はロータリーノブボタンによる接続により、工具不要な分解と組立てを行うことができ、半位置限定構造と位置限定構造により第二板片の回転範囲が限定され、これにより、上蓋とボトムハウジングとが未だ接続されていない時に、第二板片の自由回転を防止するとともに、第一板片と第二板片を接続した後のロックを実現することができる。
【００４８】
実施例２
図１２〜図１７に示されるように、本実施例ではストレートアーム式ＬＥＤ照明機器が提供される。このストレートアーム式ＬＥＤ照明機器は、ランプハウジング、ＬＥＤモジュール９’、電気器具、ランプ接続部品を有する。そのうち、当該ランプ接続部品は、ストレートアーム式ランプ接続部品４であり、ランプハウジングはボトムハウジング２’と上蓋１’を有し、ボトムハウジング２’と上蓋１’は、ＬＥＤモジュール９’と電気器具を収納する空洞を形成し、またボトムハウジング２’と上蓋１’の片側は回転可能に接続される。ストレートアーム式ランプ接続部品４はボトムハウジング２’に接続される。さらに、電気器具は電源、雷防止装置、配線押圧プレート、防水配線及びプレスラインプレートを有することができる。
【００４９】
図１２に示されるように、本実施例では、ストレートアーム式ランプ接続部品４は、一つの円柱４１及び前記円柱４１の一端に設置される接続部４２を有し、当該ストレートアーム式ランプ接続部品４は、図１３に示されるように、接続部４２により前記ボトムハウジング２’に接続される。
【００５０】
図１２に示されるように、本実施例では、ストレートアーム式ランプ接続部品４の内部に配線のための空洞４３が設置される。図１５と図１６に示されるように、それに対して、ボトムハウジング２’にはストレートアーム式ランプ接続部品４と接続される位置に配線穴が設置される。このような設計により、ランプ内部の配線が確保される。
【００５１】
本実施例では、ボトムハウジング２’と上蓋１’の片側はヒンジモジュール５により回転可能に接続される。図１７に示されるように、ヒンジモジュール５は回動するように接続されるヒンジ５１と上蓋ヒンジ５２を有し、図１５に示されるように、そのうち、ヒンジ５１は第一接続片５１１と第一接続端部５１２を有し、当該ヒンジ５１は第一接続片５１１によりボトムハウジング２’に固定的に接続される。また、図１５に示されるように、上蓋ヒンジ５２は第二接続片５２１と第二接続端部５２２を有し、且つ上蓋ヒンジ５２は第二接続片５２１により上蓋１’の内側に固定的に接続される。さらに、図１７に示されるように、ヒンジ５１の第一接続端部５１２と上蓋ヒンジ５２の第二接続端部５２２とは回転接続端部５３により回動するように接続される。この場所に、ヒンジ５１と上蓋ヒンジ５２の二つのモジュールを含むヒンジモジュールが設置することによれば、上蓋とボトムハウジングとを組立てた後における上蓋の反転が更に容易になる。
【００５２】
本実施例では、ストレートアーム式ランプ接続部品４とボトムハウジング２’とを接続する位置は、ヒンジモジュール５の設置位置に対応し、また、ストレートアーム式ランプ接続部品４の接続部４２にヒンジモジュール５の回転接続端部５３を収納する溝が設置され、当該溝が通し溝であり、簡単に言えば、接続部４２に対応する回転接続端部５３を取り付ける部分を取り除いて前記通し溝を形成することができる。勿論、他の通常の設置方法により上述した通し溝或いは溝を設置することもできる。図１３と図１４に示されるように、ヒンジモジュール５の回転接続端部５３は前記通し溝の中にハングアップして設置され、且つ当該通し溝の縁部と接続されず、さらに固定されない。ただし、本発明には回転接続端部５３を固定する技術案も含まれる。
【００５３】
本実施例では、上蓋１’はロータリーノブボタン６によりボトムハウジング２’の反対側と接続され、本実施例のロータリーノブボタンの構造は実施例１と同様にする、又は異なることができる。これについては、図１５と図１６が参照される。具体的には、ロータリーノブボタン６は上蓋１’に設置された第一板片、ボトムハウジング２’に設置された第二板片及びロータリノブを有し、そのうち、第一板片はネジなどの手段により上蓋１’の内側に固定され、また第一板片に、弧形のバヨネットなどのバヨネットが設置される。ボトムハウジング２’の内側には第一板片に対応する位置に突起平面が設置され、これにより、第二板片の取り付けが容易である。ロータリノブの一端がボトムハウジング２’の外側からボトムハウジング２’の中に入り込み、且つ穿孔位置が突起平面に位置する。第二板片は曲折した形であり、その片側の曲折部がロータリノブの他端に固定的に取り付けられ、またロータリノブを回転することにより第二板片を連動して回転させ、第二板片の曲折部を前記弧形のバヨネットに留めさせる。本発明はロータリーノブボタンにより上蓋１’とボトムハウジング２’とを接続させ、これにより、工具不要な分解と組立てを行うことができ、またメンテナンスが容易であり、メンテナンスのコストが大幅に減少する。
【００５４】
本実施例では、ランプハウジングの外郭は円形であり、さらに楕円、又は他の全ての適切な形とすることができる。
【００５５】
実施例３
本実施例と実施例２との相違点は、図１８と図１９に示されるように、本実施例では、ストレートアーム式ランプ接続部品４は角度が調整可能な接続部品７と接続することができ、ストレートアーム式ランプ接続部品４は角度が調整可能な接続部品７と、連結角が調整可能な方式により接続される。角度が調整可能な接続部品とストレートアーム式ランプ接続部品とを合わせて使用し、ランプ接続部品のストレートアームの設計により、ランプ全体の包装体積が小さくなるといった効果が得られるとともに、ランプハウジングがランプポールに対して取付角度が調整可能になり、これにより、その使用が更に容易である。
【００５６】
図２０〜図２１に示されるように、本実施例の角度が調整可能な接続部品７は、歯車押圧プレート７１及び、ランプポールに接続される接続部品７２を有し、符号４１１の継手管はストレートアーム式ランプ接続部品４の円柱４１の中心円柱部分（図の円柱の長さは例であり、長さの基準として参考するものではない）であり、継手管４１１は接続部品７２と回転可能に接続され、具体的には、接続部品７２に歯車７２１が固定的に設置され、歯車押圧プレート７１が継手管４１１に接続され、歯車押圧プレート７１に歯車溝が設置され、これらの歯車溝は歯車７２１の歯と噛合うことができる。
【００５７】
図２３に示されるように、本実施例では、接続部品７２の一端に二つの係合ラグ７２２が対称的に設置され、継手管４１１は回転軸により係合ラグ７２２と接続され、歯車７２１は二つであり、それぞれ係合ラグ７２２の内側に設置される。代替として、歯車７２１は係合ラグ７２２の外側に設置されることができる。本実施例では、回転軸がボルトであり、継手管４１１と係合ラグ７２２とはボルトまわりに回転して連結角度を調整することができる。歯車７２１は接続部品７２と一体とすることができ、又は、歯車７２１はネジにより接続部品７２に固定されることができる。接続部品７２、歯車押圧プレート７１と歯車７２１は、アルミダイカストにより成形されることができる。
【００５８】
図２２に示されるように、本実施例では、歯車押圧プレート７１はプレスプレート本体を有し、プレート本体にネジ穴７１２といくつかの歯車溝７１１が設置され、歯車溝７１１の全体的な形及び密度は歯車７２１の歯に適合する。歯車押圧プレート７１はネジ７４により継手管４１１に接続される。
【００５９】
図２１に示されるように、本実施例では、角度が調整可能な接続部品７は保護管７３を有し、保護管７３の一端に外螺子管が設置され、接続部品７２にネジスルーホールが設置され、外螺子管はネジスルーホールに適合する。保護管７３は電線を保護するために使用され得る。保護管の長さは継手管４１１よりやや長く、これにより、取付時及び使用時における電線の入り込みが容易である。保護管７３の一端にエンドキャップ７５が設置され、エンドキャップ７５はネジにより継手管４１１と接続され、保護管７３の一端はエンドキャップ７５のスルーホールを通じて出される。エンドキャップの材料はゴムとすることができ、ゴムのエンドキャップで電線を保護することができる。
【００６０】
使用する際には、継手管４１１はボルトにより係合ラグ７２２と回動するように接続され、歯車押圧プレート７１はネジ７４により継手管４１１に接続され、歯車押圧プレート７１の歯車溝が歯車７２１の歯と噛合う。角度を調整する時には、ネジ７４をゆるめ、歯車押圧プレート７１の歯車溝７１１を歯車７２１の歯と離し、継手管４１１と接続部品７２とを適切な角度に調整した後に、ネジ７４を締め、歯車押圧プレート７１の歯車溝７１１と歯車７２１の歯とを噛合わせ、これにより、継手管４１１と接続部品７２との相対的位置が固定され、継手管４１１と接続部品７２とがネジまわりに回転することができなくなる、即ち角度の調整が完成され得る。
【００６１】
本実施例における角度が調整可能な接続部品により、ソケットの大部分の重量を、歯車押圧プレートと継手管とを接続したネジに分散させるとともに、継手管と係合ラグとを接続する回転軸も半径方向の力を支え、これにより、継手管と接続部品との接続がより安定的になり、連結強度が高められる。また、本実施例の接続装置は歯車押圧プレートと歯車との噛合いを使用するので、調整可能な角度の範囲が広く、且つ両者が外れにくく、又は落下しにくくなる。
【００６２】
本実施例のストレートアーム式ＬＥＤ照明機器は角度が調整可能な接続部品を設置することにより、ランプの取付角度を調整する機能を実現することができる。
【００６３】
実施例４
本実施例では実施例３の上述した角度が調整可能な接続部品を設置するＬＥＤ照明機器を提供する。
【００６４】
以上に開示された本発明の好ましい実施例は本発明を説明するだけのために使用される。好ましい実施例は全てを詳細に記載されるものではなく、また本発明が上述した具体的な実施例に限定されない。本明細書の内容に基づき、様々な修正及び改良があり得るということは明らかである。本明細書はこれらの具体的な実施例を選択して詳細に説明することにより、本発明の原理及び実際的応用をより良く説明することができ、なお当業者は本発明をより良く理解して利用することができる。本発明は、請求項、請求項の全部の範囲及び同等物だけに限定されるものである。
【図１】
0006397935.tif 000002
【図２】
0006397935.tif 000003
【図３】
0006397935.tif 000004
【図４】
0006397935.tif 000005
【図５】
0006397935.tif 000006
【図６】
0006397935.tif 000007
【図７】
0006397935.tif 000008
【図８】
0006397935.tif 000009
【図９】
0006397935.tif 000010
【図１０】
0006397935.tif 000011
【図１１】
0006397935.tif 000012
【図１２】
0006397935.tif 000013
【図１３】
0006397935.tif 000014
【図１４】
0006397935.tif 000015
【図１５】
0006397935.tif 000016
【図１６】
0006397935.tif 000017
【図１７】
0006397935.tif 000018
【図１８】
0006397935.tif 000019
【図１９】
0006397935.tif 000020
【図２０】
0006397935.tif 000021
【図２１】
0006397935.tif 000022
【図２２】
0006397935.tif 000023
【図２３】
0006397935.tif 000024